(57)【要約】【課題】商品販売システムにおいて、商品を贈呈された被贈呈者の購買意欲を高める。【解決手段】店舗サーバ１には、購入者が購入した商品固有の商品ＩＤに関連付けて、その商品の贈呈先である被贈呈者の被贈呈者ＩＤが記録された商品販売情報記憶部１６１が設けられている。そして、店舗端末１内の関連商品販売処理部１２２は、ネットワーク４を介して、被贈呈者端末から関連商品購入要求が送られてくると、商品販売情報記憶部１６１を検索し、上記要求中の商品ＩＤに関連付けて上記要求中の被贈呈者ＩＤが記録されているか否かを調べる。そして、記録されている場合には、関連商品を購入する際の特典を被贈呈者端末へ送信する。【選択図】図３
2012208648.tif 000002
【特許請求の範囲】
【請求項１】
店舗サーバと、購入者端末と、被贈呈者端末とを備え、
前記店舗サーバは、
商品固有の商品ＩＤに関連付けて、その商品の被贈呈者の被贈呈者ＩＤが記録される商品販売情報記憶部と、
前記被贈呈者端末から送られてきた商品ＩＤを含んだ特典要求に応答して前記商品販売情報記憶部を検索し、前記商品ＩＤに関連付けて前記被贈呈者ＩＤが記録されている場合は、前記被贈呈者端末に対して特典内容を通知する特典処理部を備えることを特徴とする商品販売システム。
【請求項２】
請求項１記載の商品販売システムにおいて、
前記商品販売情報記憶部には、商品固有の商品ＩＤに関連付けて、その商品の購入者の購入者ＩＤと、その商品が贈呈用に購入されたものであるか否かを示す贈呈情報とが更に記録され、
前記特典処理部は、前記購入者端末または前記被贈呈者端末から送られてきた商品ＩＤと、購入者ＩＤまたは被贈呈者ＩＤとを含んだ特典要求に応答して前記商品販売情報記憶部を検索し、前記商品ＩＤに関連付けて前記購入者ＩＤまたは前記被贈呈者ＩＤが記録されている場合は、前記商品ＩＤに関連付けて記録されている贈呈情報に応じた特典内容を要求元に通知する特典処理部を備えることを特徴とする商品販売システム。
【請求項３】
請求項２記載の商品販売システムにおいて、
前記購入者端末は、
商品の購入時に、前記商品を贈呈用に購入したのか否かを示す贈呈情報と、前記商品の購入者の購入者ＩＤとを含み、且つ、前記商品を贈呈用に購入した場合には、更に、被贈呈者の固有ＩＤを含んだ購入要求を前記店舗サーバに対して送信する購入者側制御部を備え、
前記店舗サーバは、
前記購入者端末からの購入要求に応答して、前記購入者端末の所有者に販売する商品固有の商品ＩＤと、前記購入要求中の購入者ＩＤとを関連付けて前記商品販売情報記憶部に記録し、更に、前記購入要求に被贈呈者ＩＤが含まれている場合は、該被贈呈者ＩＤも前記商品ＩＤに関連付けて前記商品販売情報記憶部に記録する処理と、該商品固有の商品ＩＤと前記購入要求中の購入者ＩＤとを関連付けて前記商品に付されている記録媒体に記録し、更に、前記購入要求に被贈呈者ＩＤが含まれている場合は、該被贈呈者ＩＤも前記商品ＩＤに関連付けて記録する処理とを行う商品販売処理部を備えることを特徴とする商品販売システム。
【請求項４】
請求項２記載の商品販売システムにおいて、
前記購入者端末は、
商品の購入時に、前記商品を贈呈用に購入したのか否かを示す贈呈情報と、前記商品の購入者の購入者ＩＤとを含んだ購入要求を前記店舗サーバに対して送信し、被贈呈者記録指示の入力時に前記商品の贈呈先である被贈呈者の被贈呈者ＩＤと前記商品固有の商品ＩＤとを含んだ被贈呈者登録要求を前記店舗サーバに対して送信する購入者側制御部を備え、
前記店舗サーバは、
前記購入者端末からの購入要求に応答して、前記購入者端末の所有者に販売する商品固有の商品ＩＤと、前記購入要求中の購入者ＩＤとを関連付けて前記商品販売情報記憶部に記録する処理と、該商品固有の商品ＩＤと前記購入要求中の購入者ＩＤとを関連付けて前記商品に付されている記録媒体に記録処理とを行い、前記購入者端末からの被贈呈者登録要求に応答して、該被贈呈者登録要求中の商品ＩＤと同一の商品ＩＤを前記商品販売情報記憶部から検索し、該検索した商品ＩＤに関連付けて前記被贈呈者登録要求中の被贈呈者ＩＤを記録する処理を行う商品販売処理部を備え、
前記被贈呈者端末は、
贈答された商品の商品ＩＤを前記購入者端末に送信する被贈呈者側制御部を備えることを特徴とする商品販売システム。
【請求項５】
請求項２乃至４の何れか１項に記載の商品販売システムにおいて、
前記商品販売情報記憶部には、商品ＩＤに関連付けて、その商品が新品であるか否かを示す新品情報が更に記録され、
前記特典処理部は、前記購入者端末または前記被贈呈者端末から送られてきた商品ＩＤと、購入者ＩＤまたは被贈呈者ＩＤとを含んだ特典要求に応答して前記商品販売情報記憶部を検索し、前記商品ＩＤに関連付けて前記購入者ＩＤまたは前記被贈呈者ＩＤが記録されている場合は、前記商品ＩＤに関連付けて記録されている贈呈情報と新品情報とに応じた特典内容を要求元に通知することを特徴とする商品販売システム。
【請求項６】
店舗サーバと、購入者端末と、被贈呈者端末とを含む商品販売システムの構成要素である店舗サーバであって、
商品固有の商品ＩＤに関連付けて、その商品の被贈呈者の被贈呈者ＩＤが記録される商品販売情報記憶部と、
前記被贈呈者端末から送られてきた商品ＩＤを含んだ特典要求に応答して前記商品販売情報記憶部を検索し、前記商品ＩＤに関連付けて前記被贈呈者ＩＤが記録されている場合は、前記被贈呈者端末に対して特典内容を通知する特典処理部を備えることを特徴とする店舗サーバ。
【請求項７】
店舗サーバと、購入者端末と、被贈呈者端末とを含む商品販売システムの構成要素である店舗サーバを実現するためのコンピュータであって、商品固有の商品ＩＤに関連付けて、その商品の被贈呈者の被贈呈者ＩＤが記録される商品販売情報記憶部と、特典処理部とを備えたコンピュータが実行する商品販売方法であって、
前記特典処理部が、前記被贈呈者端末から送られてきた商品ＩＤを含んだ特典要求に応答して前記商品販売情報記憶部を検索し、前記商品ＩＤに関連付けて前記被贈呈者ＩＤが記録されている場合は、前記被贈呈者端末に対して特典内容を通知することを特徴とする商品販売方法。
【請求項８】
店舗サーバと、購入者端末と、被贈呈者端末を備えた商品販売システムの構成要素である店舗サーバをコンピュータによって実現するためのプログラムであって、
前記コンピュータを、
前記被贈呈者端末から送られてきた商品ＩＤを含んだ特典要求に応答して、商品固有の商品ＩＤに関連付けて、その商品の被贈呈者の被贈呈者ＩＤが記録される商品販売情報記憶部を検索し、前記商品ＩＤに関連付けて前記被贈呈者ＩＤが記録されている場合は、前記被贈呈者端末に対して特典内容を通知する特典処理部として機能させるためのプログラム。
【発明の詳細な説明】
【技術分野】
【０００１】
本発明は、ネットワークを利用した商品を販売する商品販売システムに関する。
【背景技術】
【０００２】
近年、ネットワーク上に設けられたサーバを利用して、商品やサービスを受ける権利等を贈呈するということが行われている（例えば、特許文献１，２参照）。
【０００３】
特許文献１に記載されている技術は、贈呈者端末から仲介サーバを介して被贈呈者端末へ贈呈内容を送信し、被贈呈者端末では送られてきた贈呈内容をＩＣカードなどに記録し、被贈呈者が上記ＩＣカードを持参して店舗に出向き、贈呈品を得るというものである。また、特許文献２に記載されている技術は、ギフトサイトが、贈呈者端末から贈呈要求があったとき、商品ＩＤ及びパスワードを贈呈者端末へ送信し、贈呈者はギフトサーバから送られてきた商品ＩＤ及びパスワードを被贈呈者に知らせ、被贈呈者は、贈呈者から知らされた商品ＩＤ及びパスワードを利用してギフトサーバにログインし、自身の氏名、住所などをギフトサーバに送信することにより、贈呈品を配送してもらうというものである。
【０００４】
一方、商品の購買意欲を高めるために、商品購入者にクーポンを配布するなど、特典を与えるということは、一般的に行われている。
【先行技術文献】
【特許文献】
【０００５】
【特許文献１】特開２００３−４４６９２号公報
【特許文献２】特開２００６−３２３５４５号公報
【発明の概要】
【発明が解決しようとする課題】
【０００６】
特許文献１，２に記載されている技術によれば、ネットワークを介して商品などを贈呈することが可能になるため、商品の売り上げ向上につながると考えられる。また、特許文献１，２に記載されている技術と、従来、一般的に行われているクーポン配布技術とを組み合わせることにより、購入者の商品購買意欲を高めることができるため、更なる売上向上につながると考えられる。しかしながら、従来、広く行われているクーポン配布技術は、商品購入者だけに特典を与えるものであるので、特許文献１，２に記載されている技術と、一般的に行われているクーポン配布技術を組み合わせただけでは、被贈呈者の商品購買意欲を高めることができないという問題がある。
【０００７】
[本発明の目的]
そこで、本発明の目的は、被贈呈者の商品購買意欲を高めることができないという課題を解決した商品販売システムを提供することにある。
【課題を解決するための手段】
【０００８】
本発明にかかる第１の商品販売システムは、
店舗サーバと、購入者端末と、被贈呈者端末とを備え、
前記店舗サーバは、
商品固有の商品ＩＤに関連付けて、その商品の被贈呈者の被贈呈者ＩＤが記録される商品販売情報記憶部と、
前記被贈呈者端末から送られてきた商品ＩＤを含んだ特典要求に応答して前記商品販売情報記憶部を検索し、前記商品ＩＤに関連付けて前記被贈呈者ＩＤが記録されている場合は、前記被贈呈者端末に対して特典内容を通知する特典処理部を備える。
【０００９】
本発明にかかる店舗サーバは、
店舗サーバと、購入者端末と、被贈呈者端末とを含む商品販売システムの構成要素である店舗サーバであって、
商品固有の商品ＩＤに関連付けて、その商品の被贈呈者の被贈呈者ＩＤが記録される商品販売情報記憶部と、
前記被贈呈者端末から送られてきた商品ＩＤを含んだ特典要求に応答して前記商品販売情報記憶部を検索し、前記商品ＩＤに関連付けて前記被贈呈者ＩＤが記録されている場合は、前記被贈呈者端末に対して特典内容を通知する特典処理部を備える。
【００１０】
本発明にかかる商品販売方法は、
店舗サーバと、購入者端末と、被贈呈者端末とを含む商品販売システムの構成要素である店舗サーバを実現するためのコンピュータであって、商品固有の商品ＩＤに関連付けて、その商品の被贈呈者の被贈呈者ＩＤが記録される商品販売情報記憶部と、特典処理部とを備えたコンピュータが実行する商品販売方法であって、
前記特典処理部が、前記被贈呈者端末から送られてきた商品ＩＤを含んだ特典要求に応答して前記商品販売情報記憶部を検索し、前記商品ＩＤに関連付けて前記被贈呈者ＩＤが記録されている場合は、前記被贈呈者端末に対して特典内容を通知する。
【００１１】
本発明にかかるプログラムは、
店舗サーバと、購入者端末と、被贈呈者端末を備えた商品販売システムの構成要素である店舗サーバをコンピュータによって実現するためのプログラムであって、
前記コンピュータを、
前記被贈呈者端末から送られてきた商品ＩＤを含んだ特典要求に応答して、商品固有の商品ＩＤに関連付けて、その商品の被贈呈者の被贈呈者ＩＤが記録される商品販売情報記憶部を検索し、前記商品ＩＤに関連付けて前記被贈呈者ＩＤが記録されている場合は、前記被贈呈者端末に対して特典内容を通知する特典処理部として機能させる。
【発明の効果】
【００１２】
本発明によれば、被贈呈者の商品購買意欲を高めることができるという効果を得ることができる。
【図面の簡単な説明】
【００１３】
【図１】本発明に係る商品販売システムに第１の実施の形態の構成例を示すブロック図である。
【図２】購入者端末２の構成例を示すブロック図である。
【図３】店舗サーバ１の構成例を示すブロック図である。
【図４】商品販売情報記憶部１６１の内容例を示す図である。
【図５】実電子書籍対応記憶部１６２の内容例を示す図である。
【図６】電子書籍記憶部１６３の内容例を示す図である。
【図７】被贈呈者端末３の構成例を示すブロック図である。
【図８】第１の実施の形態における、商品購入時の処理例を示すフローチャートである。
【図９】関連商品購入時の処理例を示すフローチャートである。
【図１０】第２の実施の形態における、商品購入時の処理例を示すフローチャートである。
【発明を実施するための形態】
【００１４】
次に、本発明の実施の形態について、図面を参照して詳細に説明する。
【００１５】
[本発明の第１の実施の形態]
図１を参照すると、本発明にかかる商品販売システムの第１の実施の形態は、店舗サーバ１と、購入者端末２と、被贈呈者端末３とを備えており、それらはネットワーク４を介して相互に接続されている。なお、本実施の形態では、店舗サーバ１を利用して販売する商品は、書籍およびそれに関連する関連商品（例えば、電子化した書籍）であるとする。
【００１６】
購入者端末２は、商品を購入する購入者のパーソナルコンピュータ、携帯電話機などの情報処理装置によって実現される。
【００１７】
図２を参照すると、購入者端末２は、送受信部２１と、制御部２２と、キーボード等の入力部２３と、ＬＣＤ等の表示部２４と、記憶装置２５とを備えている。
【００１８】
記憶装置２５には、商品ＩＤ記憶部２５１が設けられており、ここには、商品購入者の購入者ＩＤと、購入した商品固有の商品ＩＤが記録される。尚、本実施の形態では、商品ＩＤは、ＩＳＢＮ(International Standard Book Number)コードと、シリアル番号とから構成されるものとする。
【００１９】
送受信部２１は、ネットワーク４を介してデータを送受信する機能を有する。
【００２０】
制御部２２は、入力部２３から入力される購入者の指示に従って、店舗サーバ１にアクセスする機能や、店舗サーバ１から送られてくる商品購入画面を表示部２４に表示する機能や、購入者が商品購入画面を用いて選択した購入商品の商品番号、購入者が商品購入画面の選択欄を用いて選択した贈呈情報、及び、購入者が商品購入画面の入力欄を用いて入力した購入者ＩＤとを含んだ購入要求を店舗サーバ１へ送信する機能や、店舗サーバ１から送られてきた購入商品の商品ＩＤおよび購入者ＩＤを商品ＩＤ記憶部２５１に記録する機能や、商品の贈呈先である被贈呈者の被贈呈者ＩＤと、贈呈する商品の商品ＩＤとを含んだ被贈呈者登録要求を店舗サーバ１へ送信する機能や、商品ＩＤと購入者ＩＤとを含んだ関連商品購入要求を店舗サーバ１へ送信する機能などを有する。ここで、購入者ＩＤ、被贈呈者ＩＤとしては、例えば、購入者、被贈呈者の氏名、住所や、パスワードなど任意の情報を使用することができる。尚、贈呈情報は、購入した商品が贈呈用であるか否かを示す情報である。
【００２１】
店舗サーバ１は、コンピュータ等の情報処理装置によって実現される。
【００２２】
図３を参照すると、店舗サーバ１は、送受信部１１と、制御部１２と、テンキー等の入力部１３と、ＬＣＤ等の表示部１４と、ディスク装置などの記憶装置１６とを備えている。
【００２３】
記憶装置１６は、商品販売情報記憶部１６１と、実電子書籍対応記憶部１６２と、電子書籍記憶部１６３とを備えている。
【００２４】
商品販売情報記憶部１６１には、購入された商品固有の商品ＩＤに関連付けて、その商品の購入者の購入者ＩＤと、その商品の被贈呈者の被贈呈者ＩＤと、販売した商品が新品であるか否かを示す新品情報と、贈呈用に購入された商品であるか否かを示す贈呈情報とが記録される。尚、本実施の形態では、商品情報「１」、「２」がそれぞれ新品、中古を表し、贈呈情報「１」、「２」がそれぞれ非贈呈用、贈呈用を表すものとする。図４に商品販売情報記憶部１６１の内容例を示す。同図の例えば、第１番目のレコードは、商品ＩＤ「ＩＤ＃１」の商品が、購入者ＩＤ「Ｋ１」の購入者によって贈呈用に購入されたことを示すと共に、被贈呈者の被贈呈者ＩＤが「Ｈ１」で、購入商品が新品であることを示している。
【００２５】
実電子書籍対応記憶部１６２には、印刷物による書籍（商品）と、その関連商品となる電子書籍との対応関係が記録されている。より具体的には、商品ＩＤ中のＩＳＢＮコードと、電子書籍の電子書籍番号とが対応付けて記録されている。図５にその内容例を示す。尚、図５の例は、１個のＩＳＢＮに関連付けて１個の電子書籍番号が記録されているが、１個のＩＳＢＮに関連付けて複数の電子書籍番号が記録されている場合もある。即ち、１個の商品に対して複数の関連商品が存在する場合ある。
【００２６】
電子書籍記憶部１６３には、電子書籍番号に関連付けて、その価格と、コンテンツと、簡単な商品説明が記録されている。図６にその内容例を示す。
【００２７】
送受信部１１は、ネットワーク４を介してデータを送受信する機能を有する。
【００２８】
ＩＣタグリードライト部１５は、商品５に内蔵されているＩＣタグ５１に対してデータを読み書きする機能を有する。尚、商品５に内蔵されているＩＣタグ５１には、商品固有の商品ＩＤが予め記録されている。
【００２９】
制御部１２は、商品販売処理部１２１と、関連商品販売処理部（特典処理部）１２２とを備えている。
【００３０】
商品販売処理部１２１は、購入者端末２に対して商品購入画面を送信する機能や、購入者端末２から購入要求が送られてきたとき、表示部１４にその内容を表示し、実際に販売する商品５に内蔵されているＩＣタグ５１からＩＣタグリードライト部１５を用いて商品ＩＤを読み取ることを作業者に対して指示する機能や、ＩＣタグリードライト部１５が読み取った商品ＩＤを商品販売情報記憶部１６１に記録すると共に、その商品ＩＤに関連付けて購入要求中の購入者ＩＤ、新品情報、及び、贈呈情報を記録する機能や、ＩＣタグリードライト部１５を用いて商品５に内蔵されているＩＣタグ５１に、上記購入者ＩＤ、新品情報、および、贈呈情報を記録する機能や、購入者端末２に購入した商品５の商品ＩＤ、及び、購入者ＩＤを送信する機能や、購入者端末２から商品ＩＤと贈呈者ＩＤとを含んだ被贈呈者登録要求が送られてきたとき、上記要求中の商品ＩＤと同一の商品ＩＤを商品販売情報記憶部１６１から検索し、検索した商品ＩＤに関連付けて上記要求中の被贈呈者ＩＤを記録する機能を有する。
【００３１】
関連商品販売処理部１２２は、購入者端末２または被贈呈者端末３から、商品ＩＤと、購入者ＩＤまたは被贈呈者ＩＤとを含んだ関連商品購入要求（特典要求）が送られてきたとき、商品販売情報記憶部１６１を検索し、上記商品ＩＤに関連付けて、上記購入者ＩＤまたは上記被贈呈者ＩＤが記録されているか否かを調べる機能や（図４参照）、記録されている場合には、実電子書籍対応記憶部１６２から上記商品ＩＤに関連付けて記録されている電子書籍番号を検索する機能や（図５参照）、検索した電子書籍番号の電子書籍の価格を電子書籍記憶部１６３から読み出す機能や（図６参照）、関連商品購入要求中の商品ＩＤに関連付けて商品販売情報記憶部１６１に記録されている新品情報および贈呈情報に基づいて割引率を算出する機能や、算出した割引率と既に入力済みの電子書籍の価格とに基づいて、電子書籍の割引価格を算出し、算出した割引価格を含んだ関連商品購入画面を関連商品購入要求の要求元に送信する機能や、上記要求元から関連商品を購入することが通知された場合、電子書籍を上記要求元にダウンロードする機能などを有する。
【００３２】
尚、店舗サーバ１は、コンピュータによって実現可能であり、コンピュータによって実現する場合は、例えば、次のようにする。コンピュータを店舗サーバ１として機能させるためのプログラムを記録した半導体メモリ、ディスク、その他の記録媒体を用意し、コンピュータに上記プログラムを読み取らせる。コンピュータは、読み取ったプログラムに従って自身の動作を制御することにより、自コンピュータ上に、商品販売処理部１２１、および、関連商品販売処理部１２２を実現する。
【００３３】
被贈呈者端末３は、商品の贈呈先となる被贈呈者が所有するパーソナルコンピュータ、携帯電話機などの情報処理装置によって実現させる。
【００３４】
図７を参照すると、被贈呈者端末３は、送受信部３１と、制御部３２と、キーボード等の入力部３３と、ＬＣＤ等の表示部３４と、ＩＣタグリードライト部３５と、記憶装置３６とを備えている。
【００３５】
記憶装置３６には、商品ＩＤ記憶部３６１が設けられており、そこには、贈呈された商品の商品ＩＤと被贈呈者ＩＤとが記録される。
【００３６】
送受信部３１は、ネットワーク４を介してデータを送受信する機能を有する。
【００３７】
ＩＣタグリードライト部３５は、商品（書籍）５に内蔵されているＩＣタグ５１に対してデータを読み書きする機能を有する。
【００３８】
制御部３２は、ＩＣタグリードライト部３５を利用して、贈呈された商品（書籍）５に内蔵されているＩＣタグ５１から商品ＩＤ及び贈呈者ＩＤを読み出し、それらを含んだ贈呈承認要求を購入者端末２へ送信する機能や、購入者端末２から送られてきた、被贈呈者ＩＤを含んだ贈呈承認情報を表示部３４に表示する機能などを有する。
【００３９】
[実施の形態の動作の説明]
次に、本実施の形態の動作について詳細に説明する。
【００４０】
先ず、図８のフローチャートを参照して商品購入時の動作について説明する。
【００４１】
先ず、購入者は、購入者端末２を使用して店舗サーバ１にアクセスし、商品購入画面を要求する（ステップＳ８０１）。
【００４２】
店舗サーバ１内の商品販売処理部１２１は、購入者端末２からの要求に応答して、商品購入画面を購入者端末２に対して送信する（ステップＳ８０２）。商品購入画面には、販売対象商品に関する商品情報（写真、商品番号、価格、新品か否かを示す新品情報を含む）が載っていると共に、購入者ＩＤの入力欄や、贈呈情報の選択欄や、送信ボタンが設けられている。
【００４３】
購入者端末２内の制御部２２は、店舗サーバ１から送られてきた商品購入画面を表示部２４に表示する。購入者は、表示された商品購入画面を利用して、購入商品を選択する。更に、購入者は、入力欄に購入者ＩＤを入力すると共に、贈呈情報の選択欄を用いて、贈呈情報の内容を決定する。その後、購入者は、商品購入画面に設けられている送信ボタンを操作する。これにより、制御部２２は、購入商品の商品番号、新品情報、購入者ＩＤ、及び、贈呈情報を含んだ購入要求を店舗サーバ１へ送信する（ステップＳ８０３）。
【００４４】
店舗サーバ１内の商品販売処理部１２１は、購入者端末２から送られてきた購入要求の内容を表示部１４に表示する。これにより、店舗サーバ１の作業者は、実際に購入者に販売する商品（商品５）に内蔵されているＩＣタグ５１から、ＩＣタグリードライト部１５を用いて商品ＩＤを読み取る。商品販売処理部１２１は、ＩＣタグリードライト部１５が読み取った商品ＩＤを商品販売情報記憶部１６１に記録すると共に、それに関連付けて購入要求に含まれていた購入者ＩＤ、新品情報、及び、贈呈情報を記録する。更に、商品販売処理部１２１は、商品５に内蔵されているＩＣタグ５１に購入要求に含まれていた購入者ＩＤ、新品情報、及び、贈呈情報を記録する（ステップＳ８０４）。
【００４５】
次に、商品販売処理部１２１は、購入者が購入した商品５固有の商品ＩＤと、購入者ＩＤとを購入者端末２に送信する（ステップＳ８０５）。その後、商品５は、購入者の要求に従って、購入者または被贈呈者に配送される。
【００４６】
購入者端末２内の制御部２２は、店舗サーバ１から商品ＩＤおよび購入者ＩＤが送られてくると、それらを関連付けて商品ＩＤ記憶部２５１に記録する（ステップＳ８０６）。
【００４７】
一方、被贈呈者は、商品５が贈呈されると、それに内蔵されているＩＣタグ５１に記録されている情報（商品ＩＤ、購入者ＩＤなど）を、ＩＣタグリードライト部１５を用いて読み取る。制御部３２は、ＩＣタグリードライト部３５が読み取った情報を表示部３４に表示する（ステップＳ８０７）。
【００４８】
その後、被贈呈者は、電子メール等を用いて、商品５の商品ＩＤを含んだ贈答承認要求を購入者端末２へ送信する（ステップＳ８０８）。
【００４９】
購入者は、被贈呈者から贈答承認要求が送られてくると、それに含まれている商品ＩＤが商品ＩＤ記憶部３６１に記録されているか調べるため、入力部３３から制御部３２に対して上記商品ＩＤを指定した検索要求を入力する。これにより、制御部３２は、商品ＩＤ記憶部３６１を検索し、検索結果を表示部３４に表示する（ステップＳ８０９）。
【００５０】
そして、検索に成功した場合は、購入者は、購入者端末２を用いて店舗サーバ１にアクセスし、上記商品ＩＤと被贈呈者の被贈呈者ＩＤとを含んだ被贈呈者登録要求を送信する（ステップＳ８１０）。
【００５１】
店舗サーバ１内の商品販売処理部１２１は、被贈呈者登録要求が送られてくると、商品販売情報記憶部１６１から上記要求に含まれている商品ＩＤと同一の商品ＩＤを検索し、検索した商品ＩＤに関連付けて上記要求中の被贈呈者ＩＤを記録する（ステップＳ８１１）。
【００５２】
更に、購入者は、電子メール等を用いて、商品５の商品ＩＤと上記被贈呈者ＩＤとを含んだ贈呈承認情報を被贈呈者端末３へ送信する（ステップＳ８１２）。
【００５３】
被贈呈者は、贈呈承認情報が送られてくると、それを表示部２４に表示すると共に、それに含まれている商品ＩＤと被贈呈者ＩＤとを関連付けて商品ＩＤ記憶部３６１に記録する（ステップＳ８１３）。これにより、被贈呈者は、関連商品購入時に必要になる被贈呈者ＩＤを知ることができるので、関連商品の購入が可能になる。
【００５４】
次に、図９のフローチャートを参照して、商品５の関連商品の購入時の動作について説明する。ここでは、被贈呈者が自身の被贈呈者端末３を用いて関連商品を購入する場合の動作について説明するが、購入者が購入者端末２を用いて関連商品を購入する場合もほぼ同様の処理が行われる。
【００５５】
関連商品の購入時、被贈呈者は、被贈呈者端末３を用いて店舗サーバ１にアクセスし、関連商品購入要求を送信する。関連商品購入要求には、贈呈された商品５の商品ＩＤと、購入者端末２から送られてきた贈呈承認要求中の被贈呈者ＩＤとが含まれている。上記商品ＩＤ及び被贈呈者ＩＤは、商品ＩＤ記憶部３６１に記録されているので、上記記憶部３６１に記録されている情報を表示部３４に表示させることにより、商品ＩＤ及び被贈呈者ＩＤを知ることができる。尚、購入者が商品５の関連商品を購入する場合には、商品５の商品ＩＤと、購入者ＩＤとを含む関連商品購入要求を店舗サーバ１へ送信する。
【００５６】
店舗サーバ１内の関連商品販売処理部１２２は、被贈呈者端末３からの関連商品購入要求を受信すると、商品販売情報記憶部１６１を検索し、上記要求中の商品ＩＤに関連付けて上記要求中の被贈呈者ＩＤが記録されているレコードが存在するか否かを調べる（ステップＳ９１）。尚、関連商品購入要求が購入者端末２から送られてきたものである場合は、商品販売情報記憶部１６１を検索し、上記要求中の商品ＩＤに関連付けて上記要求中の購入者ＩＤが記録されているレコードが存在するか否かを調べる。
【００５７】
そして、該当するレコードを検索できなかった場合（ステップＳ９２がＮＯ）は、処理を終了する。
【００５８】
これに対して、該当するレコードを検索できた場合（ステップＳ９２がＹＥＳ）は、先ず、実電子書籍対応記憶部１６２から、上記要求中の商品ＩＤに関連付けて記録されている電子書籍番号を検索し、次に、電子書籍記憶部１６３から、上記検索した電子書籍番号に関連付けて記録されている価格（正規価格）、商品説明を入力する。次に、上記該当するレコード中の新品情報および贈呈情報に基づいて割引率を決定し、決定した割引率と、上記入力した正規価格とに基づいて、関連商品の割引価格を決定する。その後、関連商品の商品説明と、割引価格と、関連商品を購入するか否かの選択欄とが載った関連商品購入画面を作成して、要求元の被贈呈者端末３へ送信する（ステップＳ９３）。尚、割引率の算出方法としては、次のような方法を採用することができる。例えば、新品情報に関する割引率としては、新品、中古に対する割引率をそれぞれ１０％、５％にするというように、新品の方が特典が多くなるようにし、贈呈情報に関する割引率としては、非贈呈用、贈呈用に対する割引率をそれぞれ１０％、５％にするというように、非贈呈用の方が特典が多くなるようにし、関連商品の割引率は、新品情報に関する割引率の内の、新品情報の内容に対応する割引率と、贈呈情報に関する割引率の内の、贈呈情報の内容に対応する割引率との合計値とすることができる。例えば、新品情報が「新品」を示し、贈呈情報が「贈呈」を示している場合には、関連商品の割引率を１５％（＝１０＋５）とすることができる。
【００５９】
被贈呈者端末３の制御部３２は、店舗サーバ１から関連商品購入画面が送られてくると、それを表示部３４に表示する。被贈呈者は、その画面を見て関連商品を購入する場合には、選択欄を用いて商品購入を選択し、購入しない場合は、非購入を選択する。この選択結果は、ネットワーク４を介して店舗サーバ１へ送られる。
【００６０】
店舗サーバ１内の関連商品販売処理部１２２は、被贈呈者端末３から非購入が通知された場合（ステップＳ９４がＮＯ）は、その処理を終了する。これに対して、被贈呈者端末３から関連商品を購入することが通知された場合（ステップＳ９４がＹＥＳ）は、ステップＳ９３で検索した電子書籍番号に関連付けて電子書籍記憶部１６３に記録されているコンテンツを要求元の被贈呈者端末３へダウンロードする（ステップＳ９５）。
【００６１】
[第１の実施の形態の効果]
本実施の形態によれば、被贈呈者の商品購買意欲を高めることができるという第１の効果を得ることができる。その理由は、商品ＩＤに関連付けて被贈呈者ＩＤが記録された商品販売情報記憶部１６１を備え、商品ＩＤと被贈呈者ＩＤとを含んだ関連商品購入要求が送られてきたとき、上記被贈呈者ＩＤが上記商品ＩＤに関連付けて商品販売情報記憶部１６１に記録されている場合には、要求元の被贈呈者端末３へ割引価格などの特典内容を送信する関連商品販売処理部（特典処理部）１２２を備えており、被贈呈者に特典を与えることができるからである。
【００６２】
また、本実施の形態によれば、贈呈用の商品の購入時に贈呈先が決まっていないような場合であっても、商品を贈呈された被贈呈者は、関連商品を割引価格で購入できるという特典を得ることができる（第２の効果）。
【００６３】
[本発明の第２の実施の形態]
次に、本発明に係る商品販売システムにかかる第２の実施の形態について説明する。
【００６４】
本実施の形態と、前述した第１の実施の形態とでは、商品購入時の動作が異なるだけであるので、この部分の動作を図１０のフローチャートを参照して説明する。
【００６５】
先ず、購入者は、自身の購入者端末２を使用して店舗サーバ１にアクセスし、商品購入画面を要求する（ステップＳ１００１）。
【００６６】
これにより、店舗サーバ１内の商品販売処理部１２１は、要求元の購入者端末２に対して商品購入画面を送信する（ステップＳ１００２）。この商品購入画面には、商品購入画面には、販売対象商品に関する商品情報（写真、商品番号、価格、新品か否かを示す新品情報を含む）が載っていると共に、購入者ＩＤの入力欄や、被贈呈者ＩＤの入力欄や、贈呈情報の選択欄や、送信ボタンが載っている。被贈呈者ＩＤの入力欄が設けられている点が、第１の実施の形態の商品購入画面との相違点である。
【００６７】
購入者端末２内の制御部２２は、店舗サーバ１から送られてきた商品購入画面を表示部２４に表示する。購入者は、表示された商品購入画面を利用して、購入商品を選択する。更に、購入者は、入力欄に購入者ＩＤ、被贈呈者ＩＤを入力すると共に、贈呈情報の選択欄を用いて、贈呈情報の内容を決定する。その後、購入者は、商品購入画面に設けられている送信ボタンを操作する。これにより、制御部２２は、購入商品の商品番号、新品情報、購入者ＩＤ、贈呈者ＩＤ及び、贈呈情報を含んだ購入要求を店舗サーバ１へ送信する（ステップＳ１００３）。
【００６８】
店舗サーバ１内の商品販売処理部１２１は、購入者端末２から送られてきた購入要求の内容を表示する。これにより、店舗サーバ１の作業者は、実際に購入者に販売する商品（商品５）に内蔵されているＩＣタグ５１から、ＩＣタグリードライト部１５を用いて商品ＩＤを読み取る。商品販売処理部１２１は、ＩＣタグリードライト部１５が読み取った商品ＩＤを商品販売情報記憶部１６１に記録すると共に、それに関連付けて購入要求に含まれていた購入者ＩＤ、被贈呈者ＩＤ、新品情報、及び、贈呈情報を記録する。更に、商品販売処理部１２１は、商品５に内蔵されているＩＣタグ５１に購入要求に含まれていた購入者ＩＤ、被贈呈者ＩＤ、新品情報、及び、贈呈情報を記録する（ステップＳ１００３）。
【００６９】
被贈呈者は、商品５が贈呈されると、それに内蔵されているＩＣタグ５１に記録されている商品ＩＤや被贈呈者ＩＤをＩＣタグリードライト部３５を用いて読み取り、表示部３４に表示する（ステップＳ１００５）。本実施の形態では、この時点で、被贈呈者が関連商品の購入時に必要となる商品ＩＤ及び被贈呈者ＩＤをできるので、これ以降、関連商品を購入することが可能になる。
【００７０】
尚、上述した実施の形態では、店舗の店舗サーバ１に商品販売処理部１２１と関連商品販売処理部１２２との２つの処理部を設けたが、商品販売処理部１２１と関連商品販売処理部１２２とを異なるサーバに設けるようにしても良い。例えば、店舗サーバ１には商品販売処理部１２１だけを設け、関連商品販売処理部１２２は、関連商品販売業者や、関連商品製造業者が運営するＷｅｂサーバに設けるようにしても良い。
【００７１】
また、上述した実施の形態においては、商品ＩＤや購入者ＩＤなどを商品５に内蔵されているＩＣタグ５１に記録するようにしたが、その代わりに、商品ＩＤや購入者ＩＤを印刷した印刷物や、商品ＩＤや購入者ＩＤを記録した磁気記録媒体などを使用することもできる。
【００７２】
[第２の実施の形態の効果]
本実施の形態によれば、第１の実施の形態で得られる第１の効果に加えて、被贈呈者が関連商品を購入するために必要になる操作を簡単なものにすることができるという第３の効果を得ることができる。その理由は、購入者端末２から店舗サーバ１へ送信する購入要求に、商品の贈呈先にする被贈呈者の被贈呈者ＩＤや商品ＩＤが含まれており、商品販売処理部１２１が、この購入要求に基づいて、商品販売処理部１６１に、商品ＩＤと被贈呈者ＩＤとを関連付けて記録するようにしているからである。
【符号の説明】
【００７３】
１      店舗サーバ
１１    送受信部
１２    制御部
１２１  商品販売処理部
１２２  関連商品販売処理部
１３    入力部
１４    表示部
１５    ＩＣタグリードライト部
１６    記憶装置
１６１  商品販売情報記憶部
１６２  実電子書籍対応記憶部
１６３  電子書籍記憶部
２      購入者端末
２１    送受信部
２２    制御部
２３    入力部
２４    表示部
２５    記憶装置
３      被贈呈者端末
３１    送受信部
３２    制御部
３３    入力部
３４    表示部
３５    ＩＣタグリードライト部
３６    記憶装置
４      ネットワーク
５      商品
５１    ＩＣタグ
【図１】
2012208648.tif 000003
【図２】
2012208648.tif 000004
【図３】
2012208648.tif 000005
【図４】
2012208648.tif 000006
【図５】
2012208648.tif 000007
【図６】
2012208648.tif 000008
【図７】
2012208648.tif 000009
【図８】
2012208648.tif 000010
【図９】
2012208648.tif 000011
【図１０】
2012208648.tif 000012